(57)【要約】      （修正有）【課題】リード端子にワイヤを接合する際にリードと枠体との接合性が良好なパッケージを提供する。【解決手段】素子収納用パッケージ１は、上面に半導体素子３が搭載される搭載部を有する基体５と、基体５の上面に搭載部を囲むように配置された、内側面および外側面間を貫通する貫通部７を有する枠体９と、枠体９の内周面側に先端部が突出するように貫通部７に挿入固定されたリード端子１１とを備えている。そして、リード端子１１が、先端部側の上部に切欠き部１３を有し、貫通部７に挿入された部分に切欠き部１３の一部が位置して、切欠き部１３の上面が貫通部７から離隔している。【選択図】図２
2012248777.tif 000002
【特許請求の範囲】
【請求項１】
上面に半導体素子が搭載される搭載部を有する基体と、
該基体の上面に前記搭載部を囲むように配置された、内側面および外側面間を貫通する貫通部を有する枠体と、
該枠体の内周面側に先端部が突出するように前記貫通部に挿入固定されたリード端子とを備えた素子収納用パッケージであって、
前記リード端子は、前記先端部側の上部に切欠き部を有し、
前記貫通部に挿入された部分に前記切欠き部の一部が位置して、前記切欠き部の上面が前記貫通部から離隔していることを特徴とする素子収納用パッケージ。
【請求項２】
前記切欠き部の上面が平坦面であることを特徴とする請求項１に記載の素子収納用パッケージ。
【請求項３】
前記リード端子の長手方向に垂直な前記切欠き部を含む断面において、前記リード端子の下面側の外周が曲線形状であることを特徴とする請求項２に記載の素子収納用パッケージ。
【請求項４】
前記切欠き部の上面に配設された、前記リード端子の長手方向に垂直な方向における幅が前記リード端子の幅よりも大きい、板形状の金属部材をさらに備えたことを特徴とする請求項２に記載の素子収納用パッケージ。
【請求項５】
前記切欠き部の前記貫通部に位置している部分の上面と前記貫通部との間に空隙が形成されていることを特徴とする請求項４に記載の素子収納用パッケージ。
【請求項６】
請求項１〜５のいずれか一つに記載の素子収納用パッケージと、
前記搭載部に実装された前記半導体素子と、
一方の端部が前記半導体素子と電気的に接続されるとともに、他方の端部が前記リード端子の前記先端部に電気的に接続されたボンディングワイヤと、
前記枠体に接合された蓋体とを備えた半導体モジュール。
【発明の詳細な説明】
【技術分野】
【０００１】
本発明は、半導体素子を収納する半導体素子収納用パッケージおよびこれを備えた半導体モジュールに関する。このような半導体素子収納用パッケージは各種電子機器に用いられる。
【背景技術】
【０００２】
半導体素子を収納する素子収納用パッケージとしては、例えば、特許文献１に記載されたパッケージが知られている。特許文献１に記載されたパッケージは、半導体素子が載置される部分を有する搭載部および搭載部を取り囲むとともに側部に貫通孔を有する側壁部を備えた基体と、貫通孔に挿通されるとともに貫通孔の内面全体に接合されたリード端子とを具備している。
【０００３】
このようなパッケージを用いた半導体装置においては、リード端子と搭載部に搭載された半導体素子とがボンディングワイヤによって電気的に接続される。これにより、リード端子およびボンディングワイヤを介して半導体素子と外部の配線回路とを電気的に接続することができる。
【先行技術文献】
【特許文献】
【０００４】
【特許文献１】特開２００７−１１６０８２号公報
【発明の概要】
【発明が解決しようとする課題】
【０００５】
リード端子の上面にボンディングワイヤを接合する際に、両者の接合を確実なものとするため、ボンディングワイヤからリード端子へと下向きの押圧力が加わる。この押圧力によって、リード端子からパッケージの側壁部（枠体）に力が加わる。より具体的には、貫通孔（貫通部）の内面におけるリード端子の上面側と接合される部分には引っ張り応力が加わり、貫通孔の内面におけるリード端子の下面側と接合される部分には押し圧応力が加わる。特に、貫通部の内面における枠体の内周面に近い部分（ボンディングワイヤに近い部分）に大きな応力が加わり易い。そのため、引っ張り応力が加わる貫通部の内面におけるリード端子の上面側と接合される部分においては、リード端子が枠体から剥離する可能性が生じる。
【０００６】
本発明は、上記の課題に鑑みてなされたものであり、リード端子と枠体との接合性が良好な素子収納用パッケージを提供することを目的とする。
【課題を解決するための手段】
【０００７】
本発明の一つの態様に基づく半導体素子収納用パッケージは、上面に半導体素子が搭載される搭載部を有する基体と、該基体の上面に前記搭載部を囲むように配置された、内側面および外側面間を貫通する貫通部を有する枠体と、該枠体の内周面側に先端部が突出するように前記貫通部に挿入固定されたリード端子とを備えている。そして、前記リード端子が、前記先端部側の上部に切欠き部を有し、前記貫通部に挿入された部分に前記切欠き部の一部が位置して、前記切欠き部の上面が前記貫通部から離隔していることを特徴とする。
【発明の効果】
【０００８】
上記の態様に基づく半導体素子収納用パッケージにおいては、リード端子が、先端部の
上方に切欠き部を有し、貫通部に挿入された部分に切欠き部の一部が位置して、切欠き部の表面の一部が貫通部から離隔していることから、リード端子と枠体との接合性を良好なものとすることができる。
【０００９】
これは、リード端子から枠体に応力が加わりやすい、リード端子の貫通部に挿入された部分であって枠体の内周面側に位置する部分において、切欠き部の表面が貫通部から離隔しているからである。具体的には、貫通部が、その表面の下方においてはリード端子の下面側と接合してリード端子を保持しつつも、引っ張り応力が加わりやすいその表面の上方においては、予め切欠き部から離隔させていることから、リード端子から貫通部に引っ張り応力が加わることを抑制できる。そのため、リード端子が枠体から剥離する可能性を抑制できる。
【図面の簡単な説明】
【００１０】
【図１】一実施形態にかかる素子収納用パッケージおよび半導体装置を示す分解斜視図である。
【図２】（ａ）は、図１に示す素子収納用パッケージおよび半導体装置の断面図であり、（ｂ）は、図２（ａ）に示す素子収納用パッケージにおけるリード端子の斜視図である。
【図３】（ａ）は、図２に示す素子収納用パッケージおよび半導体装置の第１の変形例を示す断面図であり、（ｂ）は、図３（ａ）に示す素子収納用パッケージにおけるリード端子の斜視図である。
【図４】（ａ）は、図２に示す素子収納用パッケージおよび半導体装置の第２の変形例を示す断面図であり、（ｂ）は、図４（ａ）に示す素子収納用パッケージにおけるリード端子の斜視図である。
【発明を実施するための形態】
【００１１】
以下、本発明の一実施形態にかかる素子収納用パッケージ（以下、単にパッケージともいう）について、図面を用いて詳細に説明する。但し、以下で参照する各図は、説明の便宜上、実施形態の構成部材のうち、本発明を説明するために必要な主要部材を簡略化して示したものである。したがって、本発明に係るパッケージは、本明細書が参照する各図に示されていない任意の構成部材を備え得る。また、各図中の部材の寸法は、実際の構成部材の寸法および各部材の寸法比率等を忠実に表したものではない。
【００１２】
図１，２に示すように、本実施形態の素子収納用パッケージ１は、上面に半導体素子３が搭載される搭載部を有する基体５と、基体５の上面に搭載部を囲むように配置された、内側面および外側面間を貫通する貫通部７を有する枠体９と、枠体９の内周面側に先端部が突出するように貫通部７に挿入固定されたリード端子９とを備えている。そして、リード端子９が、先端部側の上部に切欠き部１３を有し、貫通部７に挿入された部分に切欠き部１３の一部が位置して、切欠き部１３の上面が貫通部７から離隔していることを特徴としている。
【００１３】
リード端子９の貫通部７に挿入された部分であって枠体９の内周面側に位置する部分には、リード端子９の上面にボンディングワイヤ１５を接合する際に、リード端子９から枠体９に応力が加わりやすい。しかしながら、本実施形態のパッケージ１においては、切欠き部１３の表面が貫通部７から離隔していることから、リード端子９と枠体９との接合性を良好なものとすることができる。これは、貫通部７が、その表面の下方においてはリード端子９の下面側と接合してリード端子９を保持しつつも、引っ張り応力が加わりやすいその表面の上方においては、予め切欠き部１３から離隔させているからである。リード端子９から貫通部７への引っ張り応力を抑制できることから、リード端子９が枠体９から剥離する可能性を抑制できる。
【００１４】
本実施形態のパッケージ１は、平面視した場合の形状が四角である平板形状の基体５を備えている。基体５は、その主面（図１においては上面）上に半導体素子３が搭載される搭載部を有している。なお、本実施形態において搭載部とは、基体５を平面視した場合に半導体素子３と重なり合う領域を意味している。
【００１５】
本実施形態においては搭載部が主面の中央部に形成されているが、半導体素子３が搭載される領域を搭載部としていることから、例えば、基体５の主面の端部に搭載部が形成されていても何ら問題ない。また、本実施形態の基体５は一つの搭載部を有しているが、基体５が複数の搭載部を有し、それぞれの搭載部に半導体素子３が搭載されていてもよい。
【００１６】
本実施形態にかかる基体５は、複数の絶縁性部材を積層することにより作製される。そして、この基体５の搭載部に半導体素子３が搭載される。絶縁性部材としては、例えば、酸化アルミニウム質焼結体、ムライト質焼結体、炭化珪素質焼結体、窒化アルミニウム質焼結体および窒化珪素質焼結体のようなセラミック材料、又はガラスセラミック材料を用いることができる。
【００１７】
これらのガラス粉末およびセラミック粉末を含有する原料粉末、有機溶剤並びにバインダを混ぜることにより混合部材を作製する。この混合部材をシート状に成形することにより複数のセラミックグリーンシートを作製する。作製された複数のセラミックグリーンシートを積層することにより複数の積層体を作製する。複数の積層体をそれぞれ約１６００度の温度で一体焼成することにより基体５が作製される。
【００１８】
なお、基体５としては、複数の絶縁性部材が積層された構成に限られるものではない。一つの絶縁性部材により基体５が構成されていてもよい。また、基体５として、少なくとも半導体素子３が配設される部分に高い絶縁性を有していることが求められることから、例えば、金属基板上に絶縁性部材を積層した構成としてもよい。特に、基体５に対して高い放熱性が求められる場合、基体５が上記の構成であることが好ましい。金属基板は高い放熱性を有しているからである。金属基板上に絶縁性部材を積層した構成とすることで、基体５の放熱性を高めることができる。
【００１９】
金属基板としては、具体的には、鉄、銅、ニッケル、クロム、コバルト及びタングステンのような部材、或いはこれらの金属からなる合金を用いることができる。このような部材のインゴットに圧延加工法、打ち抜き加工法のような金属加工法を施すことによって基体５を構成する金属基板を作製することができる。
【００２０】
また、半導体素子３を基体５の主面に直接搭載してもよいが、上述のように基体５としては、少なくとも半導体素子３が配設される部分には高い絶縁性を有していることが求められることから、本実施形態のパッケージ１のように、基体５の搭載部上に配設された、半導体素子３を載置するための搭載基板１７をさらに備え、この搭載基板１７の上に搭載されてもよい。半導体素子３の上面とリード端子９の上面との高さ位置のずれを小さくすることができるので、これらの部材の電気的な接続を容易に行うことができるからである。また、半導体素子３とリード端子９との電気的な接続を容易に行うため、半導体素子３の上面とリード端子９の上面との高さが一致するように搭載基板１７の厚みを調整することが好ましい。
【００２１】
搭載基板１７としては、絶縁性部材と同様に絶縁性の良好な部材を用いることが好ましく、例えば、酸化アルミニウム質焼結体、ムライト質焼結体、炭化珪素質焼結体、窒化アルミニウム質焼結体および窒化珪素質焼結体のようなセラミック材料、又はガラスセラミック材料を用いることができる。
【００２２】
半導体素子３を安定して基体５上に搭載するためには、基体５の熱膨張率および半導体素子３の熱膨張率の小さい方よりも搭載基板１７の熱膨張率が大きく、かつ、基体５の熱膨張率および半導体素子３の熱膨張率の大きい方よりも搭載基板１７の熱膨張率が小さいことが好ましい。
【００２３】
本実施形態のパッケージ１は、基体５の上面に搭載部を囲むように配置された枠体９を備えている。枠体９は、内側面および外側面間を貫通する貫通部７を有している。本実施形態における貫通部７はリード端子９を挿入するために枠体９に形成されたものである。貫通部７は、例えばドリル孔あけ加工によって枠体９に形成することができる。
【００２４】
枠体９としては、例えば、鉄、銅、ニッケル、クロム、コバルト及びタングステンのような部材、或いはこれらの金属からなる合金を用いることができる。このような部材のインゴットに圧延加工法、打ち抜き加工法のような金属加工法を施すことによって枠体９を作製することができる。また、枠体９としてセラミック部材を用いてもよい。また、枠体９は、一つの部材からなっていてもよいが、複数の部材の積層構造であってもよい。
【００２５】
なお、枠体９として金属材料を用いている場合、枠体９とリード端子９との間での電気的な短絡を防止するため、貫通部７の表面に絶縁部材（不図示）を配設する必要がある。例えば、セラミックス材料からなる筒状の絶縁部材を作製して、この絶縁部材を金属材料からなる貫通部７に挿入固定すればよい。この筒状の絶縁部材にリード端子９を挿入固定することによって枠体９とリード端子９との間での電気的な短絡を防止できる。
【００２６】
本実施形態のパッケージ１は、基体５および枠体９の間に位置して、基体５および枠体９を接合する接合部材（不図示）を備えている。接合部材としては、例えばロウ材を用いることができる。例示的なロウ材としては、銀ロウが挙げられる。なお、本実施形態のパッケージ１においては、基体５および枠体９を別体形成した後に、接合部材によって基体５および枠体９を接合しているが、特にこれに限られるものではない。例えば、基体５および枠体９を一体形成したものとしてもよい。
【００２７】
本実施形態のパッケージ１は、貫通部７に挿入固定されたリード端子９を備えている。リード端子９は、半導体素子３と外部配線（不図示）とを電気的に接続するための部材である。リード端子９は、ロウ材などを用いて貫通部７に接合固定されている。リード端子９の先端部は枠体９の内周面側に貫通部７から突出している。貫通部７から突出しているリード端子９の先端部には、ボンディングワイヤ１５が接合される。このボンディングワイヤ１５を介して半導体素子３とリード端子９とが電気的に接続される。
【００２８】
また、リード端子９は、その先端部側の上部に切欠き部１３を有している。本実施形態のパッケージ１において、リード端子９の上部とは、リード端子９自体を平面視した場合に視認される、上半面側の部分を意味している。そして、貫通部７に挿入された部分に切欠き部１３の一部が位置して、切欠き部１３の上面が貫通部７から離隔している。すなわち、切欠き部１３の一部が貫通部７内に位置しており、この貫通部７内に位置する部分において切欠き部１３の上面が貫通部７の表面から離れている。
【００２９】
このように、切欠き部１３の一部が貫通部７内に位置して、切欠き部１３の上面が貫通部７の表面から離れていることから、引っ張り応力が加わりやすい貫通部７の枠体９の内周面側において、リード端子９の上面から貫通部７の表面へ大きな応力が加わる可能性を低減できる。
【００３０】
リード端子９は貫通部７に挿入された部分であって切欠き部１３を除く部分の表面にお
いて、貫通部７に接合固定されている。とくに、貫通部７に挿入された部分におけるリード端子９の下部の全体が、貫通部７の表面に接合されている。具体的には、リード端子９の貫通部７に挿入された部分であって切欠き部１３が形成された部分の反対側に位置する、リード端子９の下部が貫通部７の表面に接合されていることから、貫通部７においてリード端子９を安定して保持することができる。
【００３１】
図２に示すように、貫通部７における切欠き部１３が位置する部分の長さＬの枠体９の厚みＤに対する比率が０．２〜０．５であることが好ましい。この比率が０．２以上である場合には、リード端子９から貫通部７の表面へと加わる引っ張り応力をより小さくできる。また、上記の比率が０．５以下である場合には、リード端子９から貫通部７の表面へ引っ張り応力が加わることを抑制しつつもリード端子９と貫通部７の接合面積を十分に確保できる。そのため、リード端子９の上面にボンディングワイヤ１５を接合する場合以外の、外部からリード端子９に応力が加わった場合であっても、リード端子９が枠体９から剥離する可能性を抑制できる。
【００３２】
リード端子９としては、導電性の良好な部材を用いることが好ましい。具体的には、タングステン、モリブデン、ニッケル、鉄、銅、銀および金のような金属材料を用いることができる。上記の金属材料を単一で用いてもよく、また、合金として用いてもよい。
【００３３】
本実施形態のパッケージ１におけるリード端子９は、図２（ｂ）に示すように、円柱形状の部材であって、この部材の先端部分の上部を切り欠いた形状となっている。そして、この切り欠いた部分である切欠き部１３の上面が平坦面となっている。このように切欠き部１３の上面が平坦面である場合、リード端子９にボンディングワイヤ１５を接合することが容易となる。そのため、本実施形態のパッケージ１を用いたモジュールおよび半導体装置２１の信頼性を高めることができる。
【００３４】
また、本実施形態のパッケージ１において、長手方向に垂直な切欠き部１３を含む断面におけるリード端子９の断面は、下面側の外周が曲線形状である。既に示したようにリード端子９の下面側は、貫通部７の表面の下方と接合されており、貫通部７によって保持されている。リード端子９の断面形状が上記のような曲線形状である場合、貫通部７によって保持される部分の特定の箇所に過度の押圧力が加わることを抑制できる。そのため、リード端子９が変形する可能性を小さくできる。
【００３５】
なお、本実施形態のパッケージ１１におけるリード端子９は上述の通り、円柱形状の部材であって、この部材の先端部分の上部を切り欠いた形状となっているが、これに限られるものではない。例えば、図３に示すように、角板形状であってもよい。また、リード端子９が、先端部側の上部に切欠き部１３を有していればよいことから、切欠き部１３がリード端子９の先端部まで形成されている必要はない。例えば、図４に示すように、リード端子９が、その上部に溝状の切欠き部１３を有する構成であっても良い。図４（ｂ）に示すリード端子９を用いた場合においては、図４（ａ）に示すように切欠き部１３の一部が貫通部７に挿入された部分に位置して、切欠き部１３の残りの部分が枠体９の内周面より内側に位置するようにすれば良い。
【００３６】
リード端子９とボンディングワイヤ１５とは直接接合しても良いが、本実施形態のパッケージ１のように、切欠き部１３の上面に配設された板形状の金属部材１９を更に備え、この金属部材１９にボンディングワイヤ１５を接合しても良い。特に、リード端子９の長手方向に垂直な方向における、金属部材１９の幅がリード端子９の幅よりも大きいことが好ましい。幅の大きな金属部材１９を用いることによって、ボンディングワイヤ１５をより安定して金属部材１９に接合できるからである。
【００３７】
リード端子９自体の幅を大きくすることによっても、ボンディングワイヤ１５を接合する事が容易となる。しかしながら、例えば、幅を大きくするためにリード端子９を扁平な形状とした場合、リード端子９の上面にボンディングワイヤ１５を接合する際に、リード端子９が変形し易くなる可能性がある。また、リード端子９を太くした場合、リード端子９として必要以上に多くの金属材料を用いることとなる。さらに、本実施形態のパッケージ１のように、リード端子９を複数並設する場合、隣り合うリード端子９の間隔が狭くなるため、この部分に位置する枠体９の耐久性が低下する可能性がある。
【００３８】
一方、上記のようにリード端子９の幅よりも大きな幅である金属部材１９を用いることによって、枠体９の耐久性を低下させることなく、ボンディングワイヤ１５を容易に接合できるパッケージ１を安価に提供することが可能となる。
【００３９】
金属部材１９としては、リード端子９と同様に、導電性の良好な部材を用いることが好ましい。具体的には、タングステン、モリブデン、ニッケル、鉄、銅、銀および金のような金属材料を用いることができる。上記の金属材料を単一で用いてもよく、また、合金として用いてもよい。金属部材１９はロウ材または半田のような接合部材を用いてリード端子９に接合される。
【００４０】
また、このとき、切欠き部１３の貫通部７に位置している部分の上面と貫通部７との間に空隙が形成されていることが好ましい。この部分に、例えばシリコーン樹脂、アクリル樹脂またはエポキシ樹脂のような樹脂部材を充填しても良いが、上記の通り空隙が形成されている場合、金属部材１９による接合の信頼性を良好なものにできる。金属部材１９は上述の通り、接合部材を用いてリード端子９に接合されるが、切欠き部１３の貫通部７に位置している部分の上面と貫通部７との間をロウ材溜まりとすることができるからである。そのため、ロウ材が枠体９の内周面などの想定外の箇所に流れて、金属部材１９とリード端子９の接合性が低下する、あるいは、リード端子９間で電気的な短絡が生じることを抑制できる。
【００４１】
次に、本発明の一実施形態にかかる半導体装置２１について、図面を用いて詳細に説明する。
【００４２】
本実施形態の半導体装置２１は、上記の実施形態に代表される素子収納用パッケージ１と、素子収納用パッケージ１の搭載部に実装された半導体素子３と、一方の端部が半導体素子３と電気的に接続されるとともに、他方の端部がリード端子９の前記先端部に電気的に接続されたボンディングワイヤ１５と、枠体９と接合された、半導体素子３を封止する蓋体２３とを備えている。
【００４３】
本実施形態の半導体装置２１は、上記の実施形態に代表される素子収納用パッケージ１を備えていることから、リード端子９にボンディングワイヤ１５を接合する際に、リード端子９と枠体９との間に加わる引っ張り応力を小さくできる。そのため、リード端子９が枠体９に安定して固定されるので、パッケージ１と蓋体２３とによって形成される内部空間の気密性を良好に保つことができる。
【００４４】
本実施形態の半導体装置２１においては、基体５の搭載部に半導体素子３が載置されている。また、半導体素子３とリード端子９は、ボンディングワイヤ１５により電気的に接続されている。この半導体素子３にリード端子９などを介して外部信号を入力することにより、半導体素子３から所望の出力を得ることができる。半導体素子３としては、例えば、ＬＤ素子に代表される、光ファイバに対して光を出射する発光素子、ＰＤ素子に代表される、光ファイバに対して光を受光する受光素子が挙げられる。
【００４５】
蓋体２３は、枠体９と接合され、半導体素子３を封止するように設けられている。蓋体２３は、枠体９の上面に接合されている。そして、基体５、枠体９および蓋体２３で囲まれた空間において半導体素子３を封止している。このように半導体素子３を封止することによって、長期間のパッケージ１の使用による半導体素子３の劣化を抑制することができる。蓋体２３としては、例えば、鉄、銅、ニッケル、クロム、コバルト及びタングステンのような金属部材１９、或いはこれらの金属からなる合金を用いることができる。また、枠体９と蓋体２３は、例えばシーム溶接法によって接合することができる。また、枠体９と蓋体２３は、例えば、金−錫ロウを用いて接合してもよい。
【００４６】
以上、本発明の一実施形態にかかる素子収納用パッケージ１およびこれを備えた光半導体装置２１について説明してきたが、本発明は上述の実施形態に限定されるものではない。すなわち、本発明の要旨を逸脱しない範囲内であれば種々の変更や実施の形態の組み合わせを施すことは何等差し支えない。
【符号の説明】
【００４７】
１・・・素子収納用パッケージ（パッケージ）
３・・・半導体素子
５・・・基体
７・・・貫通部
９・・・枠体
１１・・・リード端子
１３・・・切欠き部
１５・・・ボンディングワイヤ
１７・・・搭載基板
１９・・・金属部材
２１・・・半導体装置
２３・・・蓋体
【図１】
2012248777.tif 000003
【図２】
2012248777.tif 000004
【図３】
2012248777.tif 000005
【図４】
2012248777.tif 000006